(57)【要約】【課題】作業者が単独で自らの作業を記録でき、しかも記録のために作業者が作業を止めて操作する必要のない業務レコーダーを提供する。【解決手段】作業台１００１、作業エリア１００２、作業を識別するための紙片１００３、カメラ固定用の機器であるアーム１００４、カメラ１００５、作業者１００６、フットスイッチ１００７、スイッチの信号を送信するためのケーブル１００８、作業台の設けられたメモリ装着部１００９、液晶ディスプレー１０１０という構成である。【選択図】図１
2014030162.tif 000002
【特許請求の範囲】
【請求項１】
１）作業エリアが設定された作業台と、
２）前記作業台に設けられた支持機器に固定され、前記作業エリアに撮影エリアを設定されたカメラと、
３）前記カメラによって撮影された画像情報をメモリに格納する格納手段と、
４）前記カメラと格納手段から選ばれる少なくとも１つに係る動作を制御するスイッチとを、
構成要素として含む業務レコーダー。
【請求項２】
請求項１の業務レコーダーにおいて、さらにタイマーを構成要素として含み、前記格納において、該タイマーから取得した撮影時刻を前記画像情報に関連付けされることを特徴とする請求項１に記載の業務レコーダー。
【請求項３】
前記作業台には表示手段が組み込まれており、前記カメラで撮影中の画像又は前記格納された画像情報を表示することを特徴とする請求項１又は２に記載の業務レコーダー。
【請求項４】
前記スイッチは、カメラ、格納手段そして表示手段から選ばれる少なくとも１つに係る動作を制御するスイッチであることを特徴とする請求項３に記載の業務レコーダー。
【請求項５】
前記作業台には、前記カメラの支持機器の位置固定用切り欠き、前記作業を識別するためのカード又は紙片の位置固定用切り欠きから選ばれる少なくとも１つの切り欠きが設けられていることを特徴とする請求項１乃至４のいずれかに記載の業務レコーダー。
【請求項６】
前記スイッチは、フットスイッチもしくは人間センサーであって、前記作業者の作業に携わる手による操作を不要とするスイッチであることを特徴とする請求項１乃至５に記載の業務レコーダー。
【請求項７】
前記表示手段は、前記メモリに格納した画像をサムネイル表示することを特徴とする
請求項３乃至６のいずれかに記載の業務レコーダー。
【請求項８】
前記サムネイルは、前記画像から切り取った前記カード又は紙片部分の画像であることを特徴とする請求項７に記載の業務レコーダー。
【請求項９】
前記メモリは脱着自在であって、当該メモリを装着すると、動作状態又は動作待機状態に起動することを特徴とする請求項１乃至８のいずれかに記載の業務レコーダー。
【請求項１０】
前記業務レコーダーにおいて、さらに予め設定したネットワーク上の画像管理サーバに前記画像情報を送信するサーバ向け送信手段を備え 、前記画像情報が画像管理サーバに格納されることを特徴とする請求項１乃至９のいずれかに記載の業務レコーダー。
【請求項１１】
前記業務レコーダーにおいて、さらに前記メモリに格納された画像情報を他の参照用端末に送信する端末向け送信手段を備え 、該参照用端末において前記画像情報が表示されることを特徴とする請求項１乃至９のいずれかに記載の業務レコーダー。
【請求項１２】
前記カード又は紙片は、作業に先立って発行番号と発行時刻から選ばれる少なくとも１つが記載されて発行され、さらには該記載情報をコード化した機械読取用コードが記載されていることを特徴とする請求項５乃至１１のいずれかに記載の業務レコーダー。
【発明の詳細な説明】
【技術分野】
【０００１】
本発明は、業務に係る作業を記録するレコーダー、特に固定カメラによって作業台上における作業を作業者単独で記録する業務レコーダーに関する。
【背景技術】
【０００２】
従来、作業を記録する場合、作業者とは別に記録者を配置して、記録者が作業者の作業の様子をカメラ撮影するなどの記録操作をして記録データを作成するものであった。
【０００３】
あるいは、作業中に連続して自動撮影する監視カメラを作業場所に設置して記録するという方式も採用されていた。
しかしながら、このような自動撮影では、膨大な量の記録データを生成する結果となり、作業のチェックポイントが明確な場合など、後でチェックしたポイントに係る記録データを探すのに労力が掛かるという問題がある。
【先行技術文献】
【特許文献】
【０００４】
特許文献１では、業務に係る搬器にＲＦＩＤタグを取り付け、撮影エリア内のＲＦＩＤタグ検出をトリガにして、その検出のタイミングで作業を記録するシステムが提案されている。
しかしながら、ＲＦＩＤタグおよびＲＦＩＤリーダーを活用したシステムは、比較的コストが高く、業務毎にＲＦＩＤタグを付加した搬器を用意する必要があり、より安価で導入が容易なシステムが求められていた。
【特許文献１】特許第４２７６６５４号
【発明の概要】
【発明が解決しようとする課題】
【０００５】
（作業者自身で記録可能）
現場における作業において、手による作業をしている最中であっても、作業から手を離すことなく、作業者の判断するタイミングで記録操作できる業務レコーダーを実現することが一つの課題である。
【０００６】
（作業台から離れずチェック可能）
また、作業中であってもカメラからの作業の様子をチェックできることも課題である。さらに、終了した作業を記録した画像を再度チェックする必要がある場合に、作業台から離れずにカメラで取得した画像情報を呼び出せる業務レコーダーを提供することも課題となる。
【０００７】
（起動が簡単）
記録のための装置は、その初期設定や起動に面倒な動作が必要なのが通常であり、現場の作業者に負担となっているので、カメラやディスプレーを含む装置の起動を簡単にできる業務レコーダーを提供することも課題となる。
【０００８】
（低コストで設置が簡単）
低コストで、作業現場に簡単に導入することができ、即時、記録動作を開始できるような簡便な業務レコーダーを供給することも課題となる。
【課題を解決するための手段】
【０００９】
請求項１記載の発明は、業務レコーダーにおいて、
１）作業エリアが設定された作業台と、
２）前記作業台に設けられた支持機器に固定され、前記作業エリアに撮影エリアを設定されたカメラと、
３）前記カメラによって撮影された画像情報をメモリに格納する格納手段と、
４）前記カメラと格納手段から選ばれる少なくとも１つに係る動作を制御するスイッチと、を構成要素として含む業務レコーダー。
【００１０】
請求項２記載の発明は、請求項１の業務レコーダーにおいて、
さらにタイマーを構成要素として含み、前記格納において、該タイマーから取得した撮影時刻を前記画像情報に関連付けされることを特徴とする。
【００１１】
請求項３記載の発明は、請求項１又は２の業務レコーダーにおいて、
前記作業台には表示手段が組み込まれており、前記カメラで撮影中の画像又は前記格納された画像情報を表示することを特徴とする。
作業台の作業者に対面する位置などに液晶ディスプレー等の表示手段を組み込むことにより、作業者は自らの作業をカメラ目線で確認したり、過去に記録した画像情報を見て自らの作業についてチェックをその場で行うことができることにより、作業の正確さと効率を上げる効果が期待できる。
【００１２】
請求項４記載の発明は、請求項３の業務レコーダーにおいて、
前記スイッチは、カメラ、格納手段そして表示手段から選ばれる少なくとも１つに係る動作を制御するスイッチであることを特徴とする。
【００１３】
請求項５記載の発明は、請求項１乃至４のいずれかの業務レコーダーにおいて、
前記作業台には、前記カメラの支持機器の位置固定用切り欠き、前記作業識別のためのカード又は紙片の位置固定用切り欠きから選ばれる少なくとも１つの切り欠きが設けられていることを特徴とする。
作業台の切り欠きに支持機器をセットしたときに、カメラの撮影エリアが作業エリアに収まるように切り欠きを設計しておけば、作業現場でのカメラセットが非常に簡単になり、本発明の業務レコーダーの導入が容易になる。
また、カメラ画像における作業識別のためのカード又は紙片の位置が切り欠きによって固定されるので、カード又は紙片に印刷等により付加した機械読取コードを認識させることが容易になる効果がある。そのようにして読み取った識別情報は、カメラで取得した画像情報のインデックスとして使用することができる。
【００１４】
請求項６記載の発明は、請求項１乃至５のいずれかの業務レコーダーにおいて、
前記スイッチは、フットスイッチもしくは人感センサーであって、前記作業者の作業に携わる手による操作を不要とするスイッチであることを特徴とする。
【００１５】
請求項７記載の発明は、請求項３乃至６のいずれかの業務レコーダーにおいて、
前記表示手段は、前記メモリに格納した画像をサムネイル表示することを特徴とする。
【００１６】
請求項８記載の発明は、請求項７の業務レコーダーにおいて、
前記サムネイルは、前記画像から切り取った前記カード又は紙片部分の画像であることを特徴とする。
このように画像情報からサムネイルを生成して、ファイリングすることによって画像情報ファイルによって、所望の画像情報を呼び出し、表示手段に表示することが容易となる効果がある。
【００１７】
請求項９記載の発明は、請求項１乃至８のいずれかの業務レコーダーにおいて、
前記メモリは脱着自在であって、当該メモリを装着すると、動作状態又は動作待機状態に起動することを特徴とする。
このようにすることにより、作業者は自分の記録用のメモリを装着するだけでレコーダーを起動することができ、起動のためのスイッチ操作など余計な作業を省くことになり、作業効率が上がる。
【００１８】
請求項１０記載の発明は、請求項１乃至９のいずれかの業務レコーダーにおいて、
前記業務レコーダーにおいて、さらに予め設定したネットワーク上の画像管理サーバに前記画像情報を送信するサーバ向け送信手段を備え 、前記画像情報が画像管理サーバに格納されることを特徴とする。
ネットワーク上の画像管理サーバに画像情報を格納し管理することにより、作業者を含むユーザが自身の携帯情報端末やパソコン等からアクセスして、適当なインデックス情報を指定して画像要求することにより必要な画像情報を参照することができる効果がある。
【００１９】
請求項１１記載の発明は、請求項１乃至９のいずれかの業務レコーダーにおいて、
前記業務レコーダーにおいて、さらに前記メモリに格納された画像情報を他の参照用端末に送信する端末向け送信手段を備え 、該参照用端末において前記画像情報が表示されることを特徴とする。
このように構成することにより、メモリの画像情報は、予め設定しておいた送信先の参照用端末で参照したり、逆に参照用端末からの要求に応じて画像を送信することにより画像を参照することができる。
【００２０】
請求項１２記載の発明は、請求項５乃至１１のいずれかの業務レコーダーにおいて、
前記カード又は紙片は、作業に先立って発行番号と発行時刻から選ばれる少なくとも１つが記載されて発行され、さらには該記載情報をコード化した機械読取用コードが記載されていることを特徴とする。
このようなカード又は紙片を当該業務に係る発行機から発行することにより、記録の対象となる作業に対して、予め識別情報を付与することができる効果がある。さらには、記録した画像情報のインデックスとして利用し、過去に記録した画像情報の検索表示を効率的にする効果もある。
【発明の効果】
【００２１】
以上の構成を採用することにより、本発明の業務レコーダーは、作業台から離れずチェック可能、起動が簡単、設置が簡単、そして先行技術に比べ低コストとなる。
【図面の簡単な説明】
【００２２】
【図１】概略構成の正面図
【図２】概略構成の側面図
【図３】作業台の構成
【図４】業務レコーダーの動作を示したタイミングチャート
【図５】記録画像の一例
【図６】サムネイル表示の一例
【図７】記録データの構造
【図８】他の態様の構成図
【発明を実施するための形態】
【００２３】
以下、本発明の具体例につき図面を用いた実施例において説明する。
【実施例１】
【００２４】
図１は、本発明の実施例の業務レコーダーの正面図である。
作業台１００１、作業エリア１００２、作業を識別するための紙片１００３、カメラ固定用の機器であるアーム１００４、カメラ１００５、作業者１００６、フットスイッチ１００７、スイッチの信号を送信するためのケーブル１００８、作業台の設けられたメモリ装着部１００９、液晶ディスプレー１０１０という構成である。
上記業務レコーダーの動作は、予め組み込まれたファームウエア等のプログラムをマイコン等のプロセッサーで実行し、各種デバイスを制御することにより実現される。また、これらのプログラムは、コンピュータで読み取り可能な記録媒体に記録され、当該プロセッサーによって記録媒体から読み出され、システムのユーザが操作すること又は当該業務レコーダーを構成するデバイスからの信号を受信することによって実行される。
【００２５】
（作業台）
作業台１００１は、上面に作業エリア１００２が設けてあるが、特に図示しない内部にプロセッサーを含む回路が組み込まれて、カメラ１００５、メモリ装着部１００９、フットスイッチ１００７、液晶ディスプレー１０１０といった他のデバイスと配線等により電気的に接続している。
【００２６】
（フットスイッチ）
フットスイッチ１００７は、作業者１００６が作業に係る手を作業から離すことなく、予め設定したスイッチ操作でカメラの撮影動作、液晶ディスプレーの表示を制御するように構成されている。
ここで作業台に組み込まれたプロセッサーとの接続はケーブル１００８によってされているが、本発明はこれに限られるものではなく、赤外線やブルートゥース（登録商標）等による無線による方式でもよい。
尚、ここではハンドフリー操作を実現するスイッチとしてフットスイッチを採用したが、本発明の業務レコーダーのスイッチは、これに限定されるものではなく人感センサーにより足や頭動きを検知させて操作する方式のスイッチなど適宜採用可能である。
【００２７】
（着脱自在なメモリ）
作業台の設けられたメモリ装着部１００９には、作業者が作業の開始に先立って業務記録のために所定の規格のメモリを装着する。ここではSDカードを採用する。
ここでメモリを装着すると、所定の起動信号がプロセッサーに送信されるように構成されている。従って、作業者は業務レコーダーを起動させるのに、特別な初期設定操作が不要である。
メモリには、カメラで撮影した画像情報が記憶されるが、通信手段付きのメモリを採用することにより、外部の機器に画像情報を含む記録データを送信できる構成とする。これにより必要に応じて、外部のサーバ等に画像情報を格納し、利用することもできる。
ここでは通信機能はメモリに組み込まれたものを採用するが、本発明に係る通信手段は業務レコーダーを構成する作業台など他の構成要素に適宜組み込むことが可能である。
【００２８】
（表示手段）
液晶ディスプレー１０１０は、カメラで撮影した画像を表示するためのものである。図に示す様に、作業台における作業者１００６に対面する位置に組み込まれているので、作業者は作業から手を離すことなく、フットスイッチを操作して過去の記録による画像や現在の作業の様子の画像を確認できるため、作業効率と作業の正確さを大きくアップさせることができる。
ここで表示手段として液晶ディスプレーを採用したが、本発明の表示手段はこれに限られるものではなく、有機ＥＬ、プラズマディスプレーなど適宜採用可能である。
【００２９】
図２は、本実施例に係る業務レコーダーの側面図である。
図に示す様にカメラ支持機器であるアーム１００４は、作業エリアを撮影エリアに収めるようにアームの水平部分が前方に延びる構成となっている。
本発明に係るアームや取付位置は、本実施例のものに限定されるものではなく、作業台の側面部に取り付け、側方から作業エリア上に延びるアーム等の機器を採用するなど適宜作業エリアを撮影エリアに収めるように構成すればよい。
尚、ここで業務レコーダーは作業台やカメラを含む１つのユニットとして構成されており、作業者が必要に応じて自らの机などに置いて簡単に業務記録ができるものである。したがって、本実施例の業務レコーダーを構成する作業台においては、特に図示しない他の机の上に置かれ、作業に適切な高さに設置されている。
【００３０】
（切り欠き）
図３は、作業台１００１をパーツとして取り出して、そこに形成された切り欠き３００１、３００２を詳細に示した詳細図である。ＡＡ‘  線の断面図が１００１Aであり、切り欠き３００１の形状と位置が示されている。切り欠き３００１は、カメラを固定するアームの端部を所定の位置に固定するためのものである。予めアームの長さと形状を考慮して、先端部にカメラを固定すると、撮影エリアが作用エリアをカバーする位置に固定するように設けられた切り欠きである。
【００３１】
ＢＢ‘  線の断面図が１００１Ｂであり、切り欠き３００２の形状と位置が示されている。切り欠き３００２は、作業識別のためのカード又は紙片の位置固定のための切り欠きである。
ここでカード又は紙片は、後で説明するように作業を識別する文字及びコードが記載されており、作業識別票として機能する。予め決めた位置に固定されるように切り欠きが設けられているので、作業員が予め設計した位置にカード又は紙片を固定するのが容易となる。
予め設計した位置に対応する画像部分を走査してコード読取するので、画像走査が短時間で済み、高速にコードに示された受付番号、受け付け時刻等のインデックス情報を取り出すことができる。
尚、このようなカード又は紙片は、特に図示しない発行機を設けて、作業員が作業に先立ち発行を受けるものである。
【００３２】
（各構成要素の動作）
図４は、業務の進行に従って、作業者、カメラ、格納手段そしてモニターがどのように連動して動作するかを示したタイミングチャートである。
【００３３】
４００１に示す最初のステップにおいて、所定の発行機から作業識別のためのインデックス情報を記載した紙片が発行される。４００２において、作業者は紙片を受け取る。続いて、４００３において、作業者は自身のメモリを作業台に設けられた装着部に装着する。
この装着により起動信号が発信され、４００４でカメラが起動し、４００５において格納手段が起動し、４００６でモニターが起動する。
【００３４】
４００７において、紙片が所定の切り欠き位置に固定される。起動後の４００８のタイミングから、モニターには現在の作業エリアが表示される。図５は、そのモニター画像を示したイメージ図である。
５００１はモニターであり、画面５００２に作業エリアの画像が映し出される。５００３は、作業を識別するための紙片である。ここでは、作業番号（No.１２３４）と日付２０１２年７月２６日を示す「２０１２０７２６」が記載されている。５００４は、２次元バーコードであり、これらの記載情報がコード化されて格納されている。
５００５は作業対象であり、作業者が手５００６で将に作業を開始しようとしているところである。
ここでコードには２次元バーコードを採用したが、本発明で利用可能なコードはこれに限られるものではなく１次元バーコードなど適宜採用可能である。
【００３５】
４００９において、作業が開始される。４０１０は、作業に係る１つ目のチェックポイントである。４０１１において、作業者はチェックするために適切と考えるタイミングで一回目のフットスイッチ操作を行う。フットスイッチは作業に携わる手を離すことなく操作できるので、作業の進行を妨げることが少なメリットがある。
ここでは画像取得指示のスイッチ操作を行うが、「１回のスイッチ押し下げで画像取得」というようにレコーダーの動作に対応するスイッチ操作を適宜決めて実装しておけばよい。
【００３６】
４０１２において、カメラはこのタイミングの画像を取得する。４０１３において、格納手段は取得画像のメモリへの格納を行う。
図６は、格納された記録データの構造を示したものである。画像ID６００１は、当該画像情報を識別するユニークIDである。撮影時刻６００２は、画像取得のタイミングにおいて前述のタイマーから取得した時刻である。受付番号６００３及び受付時刻６００４は、前述の発行機が紙片を発行するときに生成した番号と時刻であって、紙片に記載されたコードを機械読取することによって取得される。画像情報６００５は、画像取得のタイミングのカメラ画像をデータとして取得したものである。
ここで撮影時刻、受付番号、受付時刻は、ファイリングされたこれら記録データを後から検索するときのインデックスとして機能する。
【００３７】
監４０１４は、2回目のチェックポイントである。ここでチェックポイントは２回としたが、本発明の業務レコーダーで対応するチェックポイントは２回に限られるものではなく、メモリの容量の範囲内で、作業の性質に応じて適当なタイミングを選んで決められるものである。
チェックポイント１に連動しての動作と同様に、４０１５においてフットスイッチを操作し、４０１６において画像取得が行われ、４０１７において図６で示した構造の記録データとしてチェックポイント２のタイミングの画像情報がメモリに格納される。
【００３８】
４０１８において、前述の画像取得の指示とは異なる、記録データの画像情報を呼び出すためのスイッチ操作を行う。例えば、ダブルクリックのように所定の時間内に２回のスイッチ押し下げといった走査をこの「呼び出し」に割り当てる。
【００３９】
４０１９において、「呼び出し」の信号を受けた格納手段は、格納された記録データのサムネイルを表示する。サムネイルはフットスイッチに割り当てた操作により選択可能に設けてある。
図７は、液晶モニターの画面７００１に表示されたサムネイルを示したイメージ図である。７００２は、図５で示したタイミングの作業エリアの画像のサムネイルである。このように図５の５００３の紙片の部分画像がサムネイルとして画像情報から切り取られるのである。
【００４０】
４０２０において、前述のサムネイルから選ばれた記録データに係る画像情報が表示される。４０２１において、現在画像表示への切り替えに割り当てられたフットスイッチの操作を行うと、４０２２において液晶モニターの表示は現在の作業エリアのカメラ画像に戻る。
【００４１】
４０２３のタイミングにおいて、作業終了となる。４０２４で作業者は、メモリを脱着する。メモリ脱着の信号が発せられると、４０２５でカメラは、電源オフ又はスリープモードとなる。格納手段も、４０２６でオフ又はスリープモードとなる。さらにモニターも４０２７において、電源オフ又はスリープモードとなる。
以上の流れで、業務レコーダーは作業現場で使用されるものであるが、本発明に係る業務レコーダーの操作や動作の流れに限定されるものではなく、作業の性質に応じて適宜変更可能である。
【実施例２】
【００４２】
図８は、他の態様の業務レコーダーを示したブロック図である。
作業台８００１、作業エリア８００２、作業を識別するための紙片８００３、カメラ固定用の機器であるアーム８００４、カメラ８００５、作業者８００６、フットスイッチ８００７、スイッチの信号を送信するためのケーブル８００８、メモリ装着部に装着された無線LAN機能を有するメモリカード８００９、作業場所とは、別の場所に設けたモニター端末８０１０という構成である。
ここでモニター端末８０１０は、無線LAN手段を備えた参照用端末であり、上記無線LAN機能付きメモリと通信して、カメラ８００５で取得した作業エリアの画像やメモリ８００９に格納された画像情報を表示してチェックできる構成となっている。
尚、ここでモニター端末との接続に無線LANを採用しているが、本発明に係る業務レコーダーの通信手段は、これに限られるものではなく、有線による回線など作業現場やモニター端末の所在に応じて適宜採用可能である。
【００４３】
さらには、通信手段による送信先を画像格納するサーバとしてもよい。サーバに格納し、管理された記録データをサーバにアクセスした携帯端末、パソコン等から閲覧する方式を採用することも可能である。
【産業上の利用可能性】
【００４４】
本発明のシステムは、記録や確認が要求される作業において、作業員と記録員とが同じ時間・同じ場所でそれぞれの役割を果たすことが当然とされていた業務において利用可能性が高い。記録や確認に係る操作を作業員が単独で行うことができるため、トータルの人員数を適正化することが可能であり、業務全体の効率化を実現できるので、十分なコストを払うことができなかった作業現場に普及していくと考えられる。
【符号の説明】
【００４５】
１００１  作業台
１００２  作業エリア
１００３  作業を識別するための紙片
１００４  カメラ固定用の機器
１００５  カメラ
１００７  フットスイッチ
１００９  メモリ装着部
１０１０  モニター
【図１】
2014030162.tif 000003
【図２】
2014030162.tif 000004
【図３】
2014030162.tif 000005
【図４】
2014030162.tif 000006
【図５】
2014030162.tif 000007
【図６】
2014030162.tif 000008
【図７】
2014030162.tif 000009
【図８】
2014030162.tif 000010